(57)【特許請求の範囲】
【請求項１】
複数の外壁を有するスピーカの筐体と、
両端部が対向する１対の外壁に取り付けられ、前記筐体を第１と第２の容積に分割するバッフルであって、前記筐体は前記第１および第２の容積のうちの１つと前記筐体の外部との間に少なくとも１個の開孔を有する、前記バッフルと、
前記第１の容積の内部で前記バッフルに取り付けられた１対のスピーカであって、発生された音声が前記少なくとも１個の開孔を通って前記筐体から外部へ導かれる、前記スピーカとを含み、
前記バッフルが、180度以外の角度で互いに面して折り曲げられた少なくとも第１と第２の部分を有し、前記１対のスピーカの各々がそれぞれ前記第１と第２の部分に取り付けられている、スピーカ・システム。
【発明の詳細な説明】
産業上の利用分野
本発明は、音響システムに関し、特にテレビジョン受像機に使用する音響システムに関する。
発明の背景
スピーカシステム、特に低温を再生するスピーカ・システムでかなり問題となるのは、種々の周波数の信号に応答して、不要な共振を生じたり、望ましくないキャビネットの振動を生じることである。このような振動は、固定された両端の中間に支持物のない大型の筐体の壁の場合に特に問題となる。このような振動を防ぐために、筐体の構成部分は、このような振動に耐えられるように頑丈で十分に重量があり、種々のキャビネット構造の本来の共振周波数が信号の共振周波数よりも低くなるようにしなければならない。もし頑丈で重量のある部品に頼らずに振動を減らすことができるならば、部品のコストを下げることができ、重量の減少による輸送費用の削減を実現することができる。
スピーカの筐体においては、平行な表面をできる限り少なくすることが望ましい。なぜならば、平行な表面があると、キャビネットの内部に共振周波数および反共振周波数（音響定在波）が発生され、理想的な平坦な周波数応答に望ましくないピークやキャンセル（cancellation）を生じる。更に、このような共振周波数は上述のような振動モードを生じ、その結果、バズのような妨害音を生じることがある。
最近、低周波帯域通過用の筐体として知られる音楽システムが設計されている。このような筐体は、高温レベルでウーファ（woofer）・スピーカより発生される高調波ひずみ音声成分の多くをフィルタで音響的に除去する。このような装置は分室を使用し、この分室を筐体の外側に接続するポート管を備えている。このような装置は、ボーズ（Bose）の米国特許第4,549,631号、ベランス（Veranth）の米国特許第5,033,577号、およびシュライバ（Schreiber）外の米国特許第5,092,424号に示されている。
発明の概要
簡単に言うと、本発明は、内部のバッフルが内部の容積（volume）の全長に及び内部の容積を２つの等しくない容積に分割している、複数のスピーカより成るスピーカ・システムに関する。バッフルは、筐体の壁に平行でない、折り曲げられた部分を有する。スピーカは第１の容積の内部で折り曲げられた部分に取り付けられている。スピーカは第２の容積の中に音声を放散させる。第１の容積と第２の容積のうちの１つが、帯域通過の形態をなして、筐体の外側に通じている。従って、バッフルの平行でない部分は、筐体から出る音声に生じる好ましくないピークやキャンセルを減少させる。更に、バッフルはその横幅に沿って筐体の上部と底部の壁に固定されるので、筐体に剛性が付加される。
発明の構成
複数の外壁（12,14,16,18,20,22）を有するスピーカの筐体と、
両端部が対向する１対の外壁（16,18）に取り付けられ、前記筐体を第１と第２の容積（26,28）に分割するバッフル（30）であって、前記筐体は前記第１および第２の容積（26,28）のうちの１つの前記筐体の外部との間に少なくとも１個の開孔（42）を有する、前記バッフル（30）と、
前記第１の容積（26,28）の内部で前記バッフル（30）に取り付けられた１対のスピーカ（38,40）であって、発生された音声が前記少なくとも１個の開孔（42）を通って前記筐体から外部へ導かれる、前記スピーカ（38,40）とを含み、
前記バッフル（30）が、180度以外の角度で互いに面して折り曲げられた少なくとも第１と第２の部分（34,36）を有し、前記１対のスピーカ（38,40）の各々がそれぞれ前記第１と第２の部分（34,36）に取り付けられている、スピーカ・システム。
【図面の簡単な説明】
第１図は、本発明の特徴に従うスピーカ・システムの等角投影法の分解組立図である。
第２図は、第１図のライン２−２にほぼ沿った横断面図である。
第３図は、テレビ受像機に取り付けられた本発明のスピーカ・システムを示す。
好ましい実施例の詳細な説明
図面に関して述べると、スピーカの筐体（全体として10で表わされる）は、前壁12、後壁14、側壁16,18、上壁20、底壁22を含み、これらすべてが容積24を形成する。容積24は、バッフル30により第１の容積26と第２の容積28に分割される。バッフル30はその長さの方向の端部が側壁16と18に堅固に固定され、筐体10が完全に組み立てられた時に、上部20と底部22の隆起部32の溝の中に更に堅固に固定される。上部20は、ねじ取付け支柱24により底部22にも固定される。
バッフル30は折り曲げられた部分34,36を備えており、折り曲げられた部分は、平面のバッフルに対し180度以外の角度で互いに少し向かい合っている。隆起部32により、バッフル30の長さの方向に沿ってきっちりとはめ込まれるので、バッフル30は部材20と22に付加的な剛性を与える。１対のスピーカ38と40は容積26の内部でそれぞれの折り曲げられた部分34と36に取り付けられており、その音声出力は容積28の中に拡散されると共に、前面の壁12に取り付けられた音声拡散器（sound  diffuser）37の中に拡散される。この例示的実施例で、スピーカ38と40は、約70Hzの自由大気共振、および約80Hzのキャビネット負荷共振を有する。例示的実施例では、容積28の内部でスピーカ38と40より発生される音声は１対の開孔42によって筐体の外側に結合される。容積24と26の相対的な大きさ、および開孔42の位置と寸法により、発生された音声に対し低周波帯域フィルタが得られる。筐体10は、ディスプレイ（図示せず）を備えているテレビ受像機46のキャビネット44に、開孔42を上向きにして、取り付けられるように設計されている。
スピーカ38と40は、導線48を介して、異なるチャンネルからの信号により駆動される。また、２個のスピーカは異なるチャンネルに対して同一の分割されてない容積26を共有しているので、開孔42から出る各チャンネルの低温は聴取者に同時に到達し、複数のスピーカ・システムにおいて一般的に生じるキャンセルや干渉を生じない。
バッフル30は、筐体10の剛性を増加させることに加えて、その折り曲げられた部分34と36が、キャビネットの側面に平行でない音響構造を与えるという二重の目的を果たす。このようにして、容積26と28の両方に関して、望ましくないピークやキャンセルが減少される。このような内部構造により得られる非平行性は、三角形のプリズム形やピラミッド形のキャビネットよりも見た目に美的で感じのよい、一般に矩形の筐体を維持することを可能にする。
【図１】
0003611854.tif 000002
【図２】
0003611854.tif 000003
【図３】
0003611854.tif 000004